(57)【要約】      （修正有）【課題】形状が変化したり、その形状変化に伴って宝石が見え隠れしたりするようにして、興趣性を増した。【解決手段】指輪（宝飾品）１において、上顎部３１を含む頭部２０と下顎部３２とを、揺動軸１５を介して相互に揺動可能に連結して構成された開閉可能な顎部と、下顎部３２の内側に配設され、顎部の開放により外部からの視認を可能とするとともに顎部の閉鎖により外部からの視認を不能とする宝石４０とを備える。【選択図】図２
2011217833.tif 000002
【特許請求の範囲】
【請求項１】
上顎部を含む頭部と下顎部とを、揺動軸を介して相互に揺動可能に連結して構成された開閉可能な顎部と、
前記下顎部の内側に配設され、前記顎部の開放により外部からの視認を可能とするとともに前記顎部の閉鎖により外部からの視認を不能とする宝石と、を備える、
ことを特徴とする宝飾品。
【請求項２】
前記揺動軸を支持するベース部を備え、
前記頭部は、その重心と揺動軸との位置関係によって自重で開閉されるとともに、前記ベース部によって開放位置を規制される、
ことを特徴とする請求項１に記載の宝飾品。
【請求項３】
前記下顎部は、前記揺動軸によって揺動可能に支持されるとともに、前記ベース部によって位置が規制される、
ことを特徴とする請求項２に記載の宝飾品。
【請求項４】
前記ベース部に固定されて前記宝石を支持する台座を有する、
ことを特徴とする請求項３に記載の宝飾品。
【請求項５】
前記下顎部に固定されて前記宝石を支持する台座を有する、
ことを特徴とする請求項３に記載の宝飾品。
【請求項６】
前記下顎部が前記ベース部と一体に形成されており、
前記ベース部に固定されて前記宝石を支持する台座を有する、
ことを特徴とする請求項２に記載の宝飾品。
【請求項７】
前記下顎部に固定されて前記宝石を支持する台座を有し、
前記顎部は、人手によって開閉される、
ことを特徴とする請求項１に記載の宝飾品。
【発明の詳細な説明】
【技術分野】
【０００１】
本発明は、指輪、ブローチ、ペンダント等の宝飾品に関する。
【背景技術】
【０００２】
従来、指輪等の宝飾品において、指輪等の一部に可動部分を有し、その可動部分を回転させることで、異なる宝石を見せるようにしたものが知られている（例えば、特許文献１，２参照）
【０００３】
特許文献１のものは、指輪における、宝石を支持する装飾部材を回転可能に構成して、その表側と裏側とに異なる宝石を取り付け、表裏反転することによって、異なる宝石が見えるようにしたものである。
【０００４】
また、特許文献２のものは、指輪において異なる面に宝石が付いた２つ又は３つの立方体を横に並べて回転可能に支持し、これらを適宜回転させることで、異なる宝石の組み合わせる実現するものである。
【先行技術文献】
【特許文献】
【０００５】
【特許文献１】特開２００１−２１７号公報
【特許文献２】特開平８−１９４０８号公報
【発明の概要】
【発明が解決しようとする課題】
【０００６】
しかしながら、上述の特許文献１，２のものは、いずれも装飾品の表裏を反転させたり、立方体を回転させたりして、外から見える宝石を変えたり、組み合わせを変えたりするものであって、形状には何らの変化もないため、興趣性に欠けていた。
【０００７】
そこで、本発明は、形状が変化したり、その形状変化に伴って宝石が見え隠れしたりするようにして、興趣性を増した宝飾品を提供することを目的とするものである。
【課題を解決するための手段】
【０００８】
請求項１に係る発明は、宝飾品において、上顎部を含む頭部と下顎部とを、揺動軸を介して相互に揺動可能に連結して構成された開閉可能な顎部と、前記下顎部の内側に配設され、前記顎部の開放により外部からの視認を可能とするとともに前記顎部の閉鎖により外部からの視認を不能とする宝石と、を備える、ことを特徴とする。
【０００９】
請求項２に係る発明は、請求項１に係る宝飾品において、前記揺動軸を支持するベース部を備え、前記頭部は、その重心と揺動軸との位置関係によって自重で開閉されるとともに、前記ベース部によって開放位置を規制される、ことを特徴とする。
【００１０】
請求項３に係る発明は、請求項２に係る宝飾品において、前記下顎部は、前記揺動軸によって揺動可能に支持されるとともに、前記ベース部によって位置が規制される、ことを特徴とする。
【００１１】
請求項４に係る発明は、請求項３に係る宝飾品において、前記ベース部に固定されて前記宝石を支持する台座を有する、ことを特徴とする。
【００１２】
請求項５に係る発明は、請求項３に係る宝飾品において、前記下顎部に固定されて前記宝石を支持する台座を有する、ことを特徴とする。
【００１３】
請求項６に係る発明は、請求項２に係る宝飾品において、前記下顎部が前記ベース部と一体に形成されており、前記ベース部に固定されて前記宝石を支持する台座を有する、ことを特徴とする。
【００１４】
請求項７に係る発明は、請求項１に係る宝飾品において、前記下顎部に固定されて前記宝石を支持する台座を有し、前記顎部は、人手によって開閉される、ことを特徴とする。
【発明の効果】
【００１５】
本発明によれば、宝飾品の形状が変化し、また、その形状の変化に伴って、宝石が見え隠れするので、興趣性を高めることができる。
【図面の簡単な説明】
【００１６】
【図１】実施形態１の指輪１全体の斜視図である。
【図２】指輪１の顎部３０を開けた状態の骸骨を示す斜視図である。
【図３】指輪１の骸骨の分解斜視図である。
【図４】（ａ）は指輪１の顎部３０を開けた状態の骸骨を下側から見た図、（ｂ）は顎部３０を閉じた状態の骸骨を右側から見た図、（ｃ）は顎部３０を開けた状態の骸骨を右側から見た図である。
【図５】実施形態２の指輪２の顎部３０を開けた状態の骸骨を示す斜視図である。
【図６】指輪２の骸骨の分解斜視図である。
【図７】（ａ）は指輪２の顎部３０を開けた状態の骸骨を下側から見た図、（ｂ）は顎部３０を閉じた状態の骸骨を右側から見た図、（ｃ）は顎部３０を開けた状態の骸骨を右側から見た図である。
【図８】実施形態３の指輪３の顎部３０を開けた状態の犬を示す斜視図である。
【図９】指輪３の犬の分解斜視図である。
【図１０】（ａ）は指輪３の顎部３０を開けた状態の犬を下側から見た図、（ｂ）は顎部３０を閉じた状態の犬を右側から見た図、（ｃ）は顎部３０を開けた状態の犬を右側から見た図である。
【図１１】実施形態４のペンダント４の顎部３０を開けた状態の骸骨を示す斜視図である。
【図１２】ペンダント４の骸骨の分解斜視図である。
【図１３】（ａ）はペンダント４の顎部３０を開けた状態の骸骨を下側から見た図、（ｂ）は顎部３０を閉じた状態の骸骨を右側から見た図、（ｃ）は顎部３０を開けた状態の骸骨を右側から見た図である。
【発明を実施するための形態】
【００１７】
以下、本発明の実施形態を図面に基づき詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００１８】
図１〜図４を参照して、本発明を適用した実施形態１に係る宝飾品として、骸骨を模した装飾部を有する指輪１について説明する。なお、以下の説明では、図１中に矢印で示す方向をそれぞれ指輪１の、上下左右前後として説明する。すなわち、指輪１を指に嵌めた状態で、骸骨の頭部２０側（指先側）を「上」、骸骨の下顎部３２側（指の付け根側）を「下」、骸骨を正面から見て左に位置する側を「左」、右に位置する側を「右」、骸骨の正面側を「前」、骸骨の背面側を「後」とする。
【００１９】
図１〜図４のうち、図１は、指輪１全体の斜視図である。図２は、顎部３０を開けた状態の骸骨を示す斜視図である。図３は、骸骨の分解斜視図である。図４（ａ）は顎部３０を開けた状態の骸骨を下側から見た図、（ｂ）は顎部３０を閉じた状態の骸骨を右側から見た図、（ｃ）は顎部３０を開けた状態の骸骨を右側から見た図である。
【００２０】
指輪１は、図１〜図３に示すように、指輪本体１０と、上顎部３１を含む頭部２０と、下顎部３２と、宝石４０とを備えて構成されている。ここで、上述の上顎部３１と下顎部３２とによって開閉可能な顎部３０を構成している。
【００２１】
指輪本体１０は、リング部（腕）１１と取付ベース（ベース部）１２とを有している。
【００２２】
リング部１１は、環状に形成されていて、人の指に嵌められる部分である。取付ベース１２は、リング部１１と一体に形成されていて、リング部１１が指に嵌められた際に、手の甲側に位置する部分である。取付ベース１２は、略平坦な底部１３とその周囲に立設されて底部１３を囲繞する側壁１４とを有しており、全体として、後述する頭部２０や下顎部３２を収納する凹部を構成している。側壁１４は、左側壁１４ａ、右側壁１４ｂ、上側壁１４ｃ、下側壁１４ｄによって構成されていて、左側壁１４ａと右側壁１４ｂとには左右方向に揺動軸１５が貫通されている。この揺動軸１５は、次に説明する頭部３０や下顎部３２を揺動可能に支持するものである。
【００２３】
頭部２０は、上顎部３１を含んでこれと一体に形成されている。頭部２０全体から見ると、その下端部に上顎部３１が位置している。頭部２０は、左側の支点２０ａ、右側の支点２０ｂが上述の揺動軸１５によって左右方向に貫通されており、この揺動軸１５を基準として揺動可能（揺動自在）に支持されている。頭部２０は、図４（ｃ）に示すように、右側から見たときの重心Ｇ１の位置が、上述の取付ベース１２の底部１３を略水平にした際に、揺動軸１５に対して、上側（図中では右側）に位置するようになっている。したがって頭部２０は、底部１３が水平の場合には、（ｂ）に示す閉鎖位置Ｐ１から（ｃ）に示す開放位置Ｐ２に揺動（移動）する。
【００２４】
頭部２０は、この開放位置Ｐ２においては、後頭部２０ｃが取付ベース１２に当接することで位置が規制され、下顎部３２に対して、上顎部３１が開いた状態となる。ここで、頭部２０は、例えば、図４（ｃ）に示す取付ベース１２をその底部１３が略水平な状態から上側壁１４ｃ側を前側（矢印ｃ方向）に起こしていくと、重心Ｇ１も同様に移動する。そして、頭部２０は、重心Ｇ１が揺動軸１５を通過すると、自重によって、上顎部３１を閉じて、閉鎖位置Ｐ１に配置されることになる。また、頭部２０における目２１に対応する部分には、ダイヤモンド等の宝石が取り付けられている。
【００２５】
下顎部３２は、上述の頭部２０の一部を構成する上顎部３１とともに顎部３０を構成している。下顎部３２は、馬蹄形状に形成されていて、開口側の左の先端部３２ａ及び右の先端部３２ｂが、上述の揺動軸１５によって左右方向に貫通されていて、この揺動軸１５によって開閉自在に支持されている。下顎部３２は、図４（ｂ），（ｃ）に示すように、取付ベース１２の底部１３が略水平な状態においては、その一部３２ｃを底部１３に当接させることで位置規制されている。なお、下顎部３２は、例えば、図４（ｃ）に示す状態から、取付ベース１２の下側壁１４ｄ側を前側（矢印ｄ方向）に起こしていって（回転させて）底部１３を垂直にし、さらに同方向に回転させて、重心Ｇ２が揺動軸１５を超えた場合には、開放されることになる。
【００２６】
宝石４０は、取付台４１を介して、下顎部３２の内側に配設されている。取付台４１は、取付ベース１２の底部１３から前側斜め下方に延びる複数の脚部４２と、これら脚部４２の先端に支持された円形トレイ状の台座４３と、台座４３の周縁部を等分する位置に設けられた複数（例えば、４個）の爪部４４とを備えている。宝石４０は、台座４３に乗せられて、爪部４４を内側に折り曲げることで、台座４３に固定されている。宝石４０は、下顎部３２に対して上顎部３３が開放されることで、外部からの視認を可能にし、一方、閉鎖されることで、外部からの視認を不能にする。なお、宝石としては、例えば、骸骨との対比で鮮やかになる赤色のルビー等が好適に使用される。
【００２７】
以上のように本実施形態では、図４（ｃ）に示すように、揺動軸１５を中心として、頭部２０は矢印ａ方向，矢印ｂ方向の開閉可能であり、また、下顎部３２は、矢印ｄ方向及びその反対方向に開閉可能となっている。
【００２８】
本実施形態によると、指輪１を指に嵌めた状態で、手を動かすと、指輪１の状態（傾き）が種々に変化し、頭部２０及び下顎部３２が開閉される。そして、頭部２０の上顎部３１と下顎部３２とによって構成さえる顎部３０が開放された場合には、外部から宝石４０を見ることができ、一方、顎部３０が閉じられると見ることができなくなる。
【００２９】
本実施形態によると、手の動きに応じて、骸骨が顎部３０を開閉して、その形状（表情）を変化させるのに加え、下顎３２の内側に配設された宝石４０が見え隠れするので、興趣性の高いものとなる、という効果を奏する。
＜実施形態２＞
【００３０】
図５〜図７を参照して、本発明を適用した実施形態２に係る宝飾品として、骸骨を模した装飾部を有する指輪２について説明する。
【００３１】
図５〜図７のうち、図５は、顎部３０を開けた状態の骸骨を示す斜視図である。図６は、骸骨の分解斜視図である。図７（ａ）は顎部３０を開けた状態の骸骨を下側から見た図、（ｂ）は顎部３０を閉じた状態の骸骨を右側から見た図、（ｃ）は顎部３０を開けた状態の骸骨を右側から見た図である。
【００３２】
本実施形態の指輪２は、上述の実施形態１の指輪１に対して、頭部２０及び下顎部３２が、取付ベース１２に立設された支持部材４５によって支持されている点、そして、宝石４０が下顎部３２に取り受けられている点が異なる。これ以外は略同様である。以下では、主に相違点について説明し、同一あるいは類似する構成については、同じ符号を付して説明は省略する。
【００３３】
指輪２は、取付ベース１２の底部１３から支持部材４５が突設されている。支持部材４５は、支柱４５ａ，４５ａと二股部４５ｂ，４５ｂとを有し、二股部４５ｂ，４５ｂの先端に、揺動軸１５が貫通されている。そして、この揺動軸１５によって、頭部２０及び下顎部３２が揺動自在に支持されている。これにより、頭部２０の上顎部３１と下顎部３２とによって構成される顎部３０が開閉自在となる。
【００３４】
また、下顎部３２の内側の直接、脚部（不図示）が固定され、この脚部の先端に設けられた台座４３に宝石４０を乗せて、爪部４４で宝石を抑えることで、宝石４０を台座４３に固定している。
【００３５】
本実施形態によると、上述の実施形態１と同様、手の動きに応じて、骸骨が顎部３０を開閉して、その形状（表情）を変化させるのに加え、下顎３２の内側に配設された宝石４０が見え隠れするので、興趣性の高いものとなる、という効果を奏する。
【００３６】
本実施形態では、これに加えて、さらに、宝石４０が下顎部３２に取り付けられているので、下顎部３２の動きに伴って、宝石４０が動くため、一層、趣向性の高いものとなる。
【００３７】
なお、本実施形態の指輪２は、下顎部３２に宝石４０が取り付けられているので、これら下顎部３２及び宝石４０をそのまま、後述する実施形態４のペンダント４に使用することも可能である。
＜実施形態３＞
【００３８】
図８〜図１０を参照して、本発明を適用した実施形態３に係る宝飾品として、犬の顔及び前足を模した装飾部を有する指輪３について説明する。
【００３９】
図８〜図１０のうち、図８は、顎部３０を開けた状態の犬を示す斜視図である。図９は、犬の分解斜視図である。図１０（ａ）は顎部３０を開けた状態の犬を下側から見た図、（ｂ）は顎部３０を閉じた状態の犬を右側から見た図、（ｃ）は顎部３０を開けた状態の犬を右側から見た図である。
【００４０】
本実施形態の指輪３は、上述の実施形態１の指輪１に対して、下顎部３２が取付ベース１２と一体に構成され、また、宝石４０が下顎部３２に取り付けられている点が異なる。これ以外は、略同様である。以下では、主に相違点について説明し、同一あるいは類似する構成については、同じ符号を付して説明は省略する。
【００４１】
指輪３においては、下顎部３２は、取付ベース１２と一体に構成されるとともに、宝石４０を保持する保持部４６が設けられている。保持部４６は、下側壁１４ｄに相当する部分が左側壁１４ａと右側壁１４ｂとに掛け渡したアーチ状に形成されていて、この下側壁１４ｄから下顎部に先端側に向けて下降するように延びている。この部分によって宝石４０は支持され、さらに、犬の牙を模した爪部１２ａ，１２ａによって押さえられている。頭部２０は、上述の実施形態１と同様に、左側壁１４ａ、右側壁１４ｂを貫通する揺動軸１５によって揺動自在に支持されている。これにより、頭部２０の一部を構成する上顎部３１と下顎部３２とによって構成される顎部３０は開閉自在となっている。
【００４２】
本実施形態の指輪３によると、上述の実施形態１と同様、手の動きに応じて、犬が顎部３０を開閉して、その形状（表情）を変化させるのに加え、下顎３２に固定されている宝石４０が見え隠れするので、興趣性の高いものとなる、という効果を奏するものでありながら、さらに、下顎部３２が取付ベース１２と一体に構成されているため、全体の構成を簡略化できるという効果を奏する。
【００４３】
上述の実施形態１の指輪１の頭部２０及び下顎部、実施形態２の指輪２の頭部２０及び下顎部３２、実施形態３の指輪３の頭部３０は、いずれも揺動軸１５に対して、遊嵌されていて、すなわち緩く嵌合されていて、指や手の動作に合わせて、指輪１，２，３が傾斜することにより、頭部２０等の自重Ｗによって、自動的に顎部３０が開閉するように構成されている。したがって、指輪１，２，３を嵌めている当人も気づかないうちに、指や手の動きによって、骸骨や犬の装飾部が形状を変化させるとともに、宝石４０が見え隠れするようになっている。なお、揺動軸１５に対して、頭部２０、下顎部３２を硬く嵌合すれば、自重による顎部３０の自動的な開閉に代えて、当人の意図的な開閉動作によって顎部３０が開閉するように構成することも可能である。
＜実施形態４＞
【００４４】
図１１〜図１３を参照して、本発明を適用した実施形態３に係る宝飾品として、骸骨を模した装飾部を有するペンダント４について説明する。
【００４５】
図１１〜図１３のうち、図１１は、顎部３０を開けた状態の骸骨を示す斜視図である。図１２は、骸骨の分解斜視図である。図１３（ａ）は顎部３０を開けた状態の骸骨を下側から見た図、（ｂ）は顎部３０を閉じた状態の骸骨を右側から見た図、（ｃ）は顎部３０を開けた状態の骸骨を右側から見た図である。
【００４６】
本実施形態のペンダント４は、上顎部３１を有する頭部２０と、上顎部３１とともに顎部３０を構成する下顎部３２と、宝石４０とを備えて構成されている。頭部２０の内周面における左側と右側とには、それぞれ揺動軸１５，１５が突設されていて、これら揺動軸１５，１５が、下顎部３２の先端部３２ａ，３２ｂの透孔に挿入されることで、頭部２０と下顎部３２とが相対的に揺動自在に連結されている。
【００４７】
宝石４０は、下顎部３２の内側に固定された台座４３に乗せた後、爪部４４を内側に折り曲げることで、台座４３に固定されている。つまり、宝石４０は、台座４３を介して、下顎部３２に固定されている。
【００４８】
頭部２０における頭頂部に相当する部分には、リング２２が取り付けられていて、このリング２２には、使用者が首にかけるための紐状体２３が通されている。紐状体２３としては、例えば、鎖，皮紐，エイの皮を干したもの等を使用することができる。
【００４９】
本実施形態においては、下顎部３２の先端部３２ａ，３２ｂに対して、頭部２０の揺動軸１５，１５を硬く嵌合（いわゆる締まりバメ）されていて、図３（ｃ）に示す顎部２３の矢印ａ方向の開放、及び矢印ｂ方向の閉鎖は、人手によって意図的（強制的）に行うように構成されている。これは、上述の実施形態１〜３の指輪１〜３と同様に、頭部２０や下顎部３２の自重によって顎部３０の開閉が行われるようにすると、本実施形態がペンダント４であるため、図１３（ｃ）に示すように、常時、顎部３０を開けたままになってしまって、興趣性に欠けてしまうからである。
【００５０】
本実施形態においては、使用者が顎部３０を開放したり、閉鎖したりすることで、宝石４０を見せたり隠したりすることができる。
【符号の説明】
【００５１】
１  実施形態１の指輪（宝飾品）
２  実施形態２の指輪（宝飾品）
３  実施形態３の指輪（宝飾品）
４  実施形態４にペンダント（宝飾品）
１２  取付ベース（ベース部）
１５  揺動軸
２０  頭部
３０  顎部
４０  宝石
４３  台座
３１  上顎部
３２  下顎部
Ｇ  重心
Ｐ１  閉鎖位置
Ｐ２  開放位置
Ｗ  自重
【図１】
2011217833.tif 000003
【図２】
2011217833.tif 000004
【図３】
2011217833.tif 000005
【図４】
2011217833.tif 000006
【図５】
2011217833.tif 000007
【図６】
2011217833.tif 000008
【図７】
2011217833.tif 000009
【図８】
2011217833.tif 000010
【図９】
2011217833.tif 000011
【図１０】
2011217833.tif 000012
【図１１】
2011217833.tif 000013
【図１２】
2011217833.tif 000014
【図１３】
2011217833.tif 000015